(57)【要約】マグネトロン（１６）によるマイクロ電磁波発生器（２）により、特に人体及び動物の医療治療対称とし、マイクロ電磁波の電場エネルギーで加熱エネルギーを発生させてガン細胞等の非細胞性組織を壊滅させる手法及び装置を提供する。マグネトロン（１６）と電磁波ホーン（１）とで構成されたマイクロ電磁波発生器（２）によりマイクロ電磁波を放射し、ガン細胞組織の一部である活性酸素と周辺部に活動する血液等電解質を、マイクロ電磁波の電場エネルギーで自己振動させ加熱し、ガン細胞だけを壊滅させることである。
2002072198.tif 000002
【特許請求の範囲】
【請求項１】
マグネトロンと電磁波ホーンとで構成されたマイクロ電磁波発生器によりマイクロ電磁波を放射し、ガン細胞組織の一部である活性酸素と周辺部に活動する血液等電解質を、マイクロ電磁波の電場エネルギーで自己振動させ加熱し、ガン細胞だけを壊滅させる事を特徴としたマイクロ電磁波によるガン細胞組織壊滅方法。
【請求項２】
上記マイクロ電磁波の電場エネルギーで自己振動させて過熱して壊滅させるものは、ガン細胞の他に、非細胞性組織の一部であるウイルスＣ型肝炎、Ｂ型肝炎、その他の活性酸素と周辺部に活動する電解質を含むことを特徴とする請求の範囲第１項記載のマイクロ電磁波によるガン細胞組織壊滅方法。
【請求項３】
マグネトロン（１６）と電磁波ホーン（１）とで構成された複数のマイクロ電磁波発生器（２）を、身体の側面に対向配置し、該対向配置したそれぞれのマイクロ電磁波発生器（２）からマイクロ電磁波を放射して身体内の深部に到達するようにしたことを特徴とするマイクロ電磁波発生装置。
【請求項４】
上記対向配置したマイクロ電磁波発生器（２）又は身体の何れかを回転させながら該マイクロ電磁波発生器（２）からマイクロ電磁波を放射するようにしたことを特徴とする請求の範囲第３項記載のマイクロ電磁波発生装置。
【発明の詳細な説明】
技術分野
本発明は、マグネトロンによる電磁波発生器を具備したマイクロ電磁波治療器に関し、特に身体及び動物の医療冶療対象とし、マイクロ電磁波の電場エネルギーで活性酸素や電解質を加熱し、熱エネルギーで非細胞性組織の一部であるウイルスのＣ型肝炎、Ｂ型肝炎、ガン細胞を壊滅させる方法及び装置に関する。
背景技術
従来技術におけるマイクロ電磁波発生器を具備したガン冶療医療器は多種類の構造のものが存在し周知となっているが、現実には動物等を使用した臨床試験を行っておらず、所謂、机上の論理であるものが多数存在する。
実際に駆動できるところまで開示されている過去に周知のマイクロ電磁波冶療器の構成は、大型構造の設備構成のものが存在し、その操作も複雑で電磁波を放射させることだけが主要な構成になっている。
更に、電磁波とガン細胞との関係について言及しているものは少なく、特に電磁波によりガン細胞を壊滅させるということの詳細な解説をしたものはない。
また、非細胞性組織の一部であるウイルスのＣ型肝炎、Ｂ型肝炎、ガン細胞、その他を壊滅する研究発表は未だ皆無であり、身体による臨床試験或いは動物実験等の臨床も見聞したことはなく、机上論もない。
因みに、解説として現時点ではマイクロ電磁波冶療器について、従来通りの電磁波冶療器の構成のものが存在し、温熱療法として説明してあるものが周知である。
これらは全て、物理冶療法概念から脱皮されてない思想で一般的に、その構造はマイクロ電磁波発生器のマイクロ電磁波を同軸ケーブルや電線、或いは空洞ダクト等の電路を通じて電磁波エネルギーを放射するというもので、装置もその操作も大変大掛かりな構造になっている。
一般的に、非細胞性組織の一部であるウイルスのＣ型肝炎、Ｂ型肝炎、ガン細胞は皮組織にできるもので、特にガン細胞は胃ガン・子宮ガン・乳ガン・肺ガン・肝臓ガン・食道ガン・直腸ガンなどの上皮性のガンと言われているが、上組織を着物の丹前を例に取り、丹前の外側と内側の皮膚の粘膜にあたります。
内側は人間の内臓や器官で、外側と違い皮膚のように乾燥しないよう、粘液が保護しドロドロ状態である。その粘液の出る腺にできるのが腺ガンであり、丹前の中間にできるのが悪性腫瘍で肉腫になる。
血管肉腫や骨や筋肉の肉腫・脂肪肉腫などもよく知られています。その他、白血病・悪性リンパ腫・脳腫瘍等がある。
又、ガンが原始的に発生して間もない未分化ガンは、ハッキリしない状態の分化ガンなどのたちの悪いガンでマイクロ電磁波による治療が最良の治療ではないかと思われる。
因みに、ガンの診断には細胞診の段階数値がある。▲１▼▲２▼▲３▼▲４▼▲５▼のグレーディンクに分け、診断される。この段階数値は、▲２▼は正常、▲３▼は経過を観察する程度、▲４▼は９０％のガン細胞、▲５▼は１００％ガン細胞である、となっている。
一方、ガン細胞を撲滅するための冶療面でも手術やホルモン療法・化学療法・免疫療法などが進んでおり、抗ガン剤には副作用を伴う。過去の例によると子宮ガンである場合に、放射線治療を行った直後に、直腸ガンになったケースが報告されている。しかし、これらの放射線や抗ガン剤の有効性も認められている。又、副作用の無い免疫療法や漢方薬、お灸などもあるが冶療効果はあるが未定である。
最近、米国の大学で乳がんにマイクロ電磁波を用いた成功例もある。それ以外の経過として、非細胞性組織の一部であるウイルスのＣ型肝炎、Ｂ型肝炎、の細胞組織を有する対象者に臨床的テストを繰り返し治療行為をしてきた。
ところで、ガン細胞は、体内に発生する活性酸素が体内の細胞に悪影響を与えることにより発生することが臨床例として報告されている。
本発明は、この活性酸素と電解質に注目したもので、マイクロ電磁波発生器をガン患者や、非細胞性組織の一部であるウイルスのＣ型肝炎、Ｂ型肝炎の細胞性組織等の組織周辺部に向けマイクロ電磁波（電磁エネルギー；５００Ｗ前後）を放射するようにしたのである。
特に、第６図に示すように、ガン細胞、非細胞性組織の一部であるウイルスのＣ型肝炎、Ｂ型肝炎、の細胞性組織等の周辺部には活性酸素（Ｏ２−）が非常に多いので、このラジカルな活性酸素及び電解質４０はマイナスの成分であるから、マイクロ電磁波の電界を＋−の交流成分で変動させると、その＋−の電場がラジカルな活性酸素を振動４２作用をさせ、自分自身が自己加熱され熱エネルギー４１になり、その結果、温度上昇して４２℃以上になる。
そうすると、ガン細胞及び非細胞性組織の一部であるウイルスのＣ型肝炎、Ｂ型肝炎、の細胞性組織は壊滅に至ることになる。
勿論、周辺部にある血液等の電解質４０も同様に温度上昇し、相乗効果が生じる。これは、ガン細胞は温度に弱いことから医学界でも十分周知の事であるから死滅することは当然である。
更に、臨床テストで非細胞性組織の一部であるウイルスのＣ型肝炎、Ｂ型肝炎、の細胞組織等も完全に壊滅することが計測値で照明されたのである。
又、一般的に遠赤外線冶療器でも人体の表面にあるガン細胞の壊滅にはかなり効果はあるが、体内の深部にあるガン細胞、或いは非細胞性組織の一部であるウイルスのＣ型肝炎、Ｂ型肝炎の細胞性組織等を壊滅するためには、遠赤外線の電磁波の波長が短いので到達することはできない。これに対し、マイクロ電磁波（１．０〜５ＧＨｚ）は、身体内部に十分貫通する。
従って、このマイクロ電磁波をガン細胞組織周辺に向け放射すれば、マイナス活性酸素と血液との電界物質が豊富にあるところは全て、加熱の相乗効果が表れ自己加熱作用でガン細胞等の正常細胞以外は容易に壊滅することができる。
発明の開示
本発明はかかる課題を解決するために、下記に示す構成にすることである。
（１）マグネトロンと電磁波ホーンとで構成されたマイクロ電磁波発生器によりマイクロ電磁波を放射し、ガン細胞組織の一部である活性酸素と周辺部に活動する血液等電解質を、マイクロ電磁波の電場エネルギーで自己振動させ加熱し、ガン細胞だけを壊滅させる事を特徴としたマイクロ電磁波によるガン細胞組織壊滅方法。
（２）上記マイクロ電磁波の電場エネルギーで自己振動させて過熱して壊滅させるものは、ガン細胞の他に、非細胞性組織の一部であるウイルスＣ型肝炎、Ｂ型肝炎、その他の活性酸素と周辺部に活動する電解質を含むことを特徴とする（１）に記載のマイクロ電磁波によるガン細胞組織壊滅方法。
（３）マグネトロンと電磁波ホーンとで構成された複数のマイクロ電磁波発生器を、身体の側面に対向配置し、該対向配置したそれぞれのマイクロ電磁波発生器からマイクロ電磁波を放射して身体内の深部に到達するようにしたことを特徴とするマイクロ電磁波発生装置。
（４）上記対向配置したマイクロ電磁波発生器又は身体の何れかを回転させながら該マイクロ電磁波発生器からマイクロ電磁波を放射するようにしたことを特徴とする（３）に記載のマイクロ電磁波発生装置。
発明を実施するための最良の形態
次に、本発明に係るマイクロ電磁波によるガン細胞組織壊滅方法及びマイクロ電磁波発生装置の実施形態について、図面を参照して説明する。
本発明に係るマイクロ電磁波によるガン細胞組織壊滅方法を具現化するためのマイクロ電磁波発生器は、通常約４ｋＶＫの高圧が必要であり、マグネトロンと電磁波放射とを一体構成した可変開口調整放射部を有するマイクロ電磁波発生器で、放射器の電磁ホーン部分は部分開口部を可動的に具備し、機械的なハンドル等で調整する構造になっている。
一般的に、従来のマイクロ電磁波発生器は、発生したマイクロ波を同軸ケーブル電線や空洞ダクトを通じ、電磁波エネルギーを放射していたがロスが非常に多い。また、冶療者の操作も大掛かりで大変危険な状態でもあった。開口部も全てが固定式であるから、エネルギー放射面も一定で、変更するには別々の機器が必要であった。
本発明は、一体構造の可変開口調整ホーン付きのマイクロ電磁波発生器であるから、安全で、かつ、外観上も小型にでき、優れたマイクロ電磁波発生器を提供することが可能である。
第１の実施形態のマイクロ電磁波発生器２は、第１図〜第４図に示すように、電源トランス１７から電源が供給され、マイクロ電磁波を発生させるマグネトロン１６を備え、可変開口調整ホーン部１１、１２からなる電磁波ホーン部１を一体構造とした構成になっている。可変開口調整ホーン部１１、１２を可動ギア等の歯車で縦方向と横方向の開口部変化をツマミ１３で与え、回転軸１５ａ、１５ｂを支点にし可動して冶療患者の体質に合わせ開口部（Ａ〜Ａ’・Ｂ〜Ｂ’）を決めることができる構造になっている。
開口部前面１８の全面枠に絶縁体材２６でカバーし冶療患者に対する恐怖心を抑えるような形状で不安感を考慮した構成になっている。
更に、本発明の可動方式で容易に開口部の調整することは、マイクロ電磁波の空間放射電気インピーダンスの整合が特に重要であるからであり、患者の体質にも合わせた電磁気学的インピーダンスも相等しくすることが最大条件である。治療効果は下記の条件を揃えた時に最良となる。
マイクロ電磁波発生器（内部インピーグンス）＝
ホーンの放射電気インピーダンス＋身体の内部抵抗
また、開口部Ａ〜Ａ’・Ｂ〜Ｂ’の電磁波放射口が極端に狭いと、マイクロ電磁波が発振停止を起こし、不安定な発振作用となる。
又、電源の操作はスタートＳＷ（２２）を投入し、電源の表示ランプ２１が点灯する。タイマーＳＷ（２３）によってセットされた時間だけ駆動する。緊急時は停止ＳＷ（２４）を押すことで電源は切断される。
このように、第５図に示すように、マグネトロン１６と電磁波ホーン部１を一体構造の装置で、開口部前面を人体や動物のガン細胞周辺部に向けてマイクロ電磁波（１．０〜５ＧＨｚ）を放射する。電源は家庭用コンセントから電源入力３を通じて挿入する。
ここで電磁波の空間放射電気インピーダンスの整合が特に重要で、患者の体質にも合わせた電磁気学的インピーダンスも相等しくすることが最大条件であるから、電磁波放射口はホーン状に揃えた時が最良であり、上述したように、［マグネトロン電磁波発生器（内部インピーダンス）＝ホーンの放射電気インピーダンス＋人体の内部抵抗］、の関係にすることが必要である。
本発明の装置を用いた臨床実駿例では、人体や動物に発生したガン細胞の冶療効果は顕著に表れ、副作用もまったく見られない。参照例として表１、表２、表３に示すデータを列記する。
2002072198.tif 000003
2002072198.tif 000004
2002072198.tif 000005
2002072198.tif 000006
2002072198.tif 000007
2002072198.tif 000008
2002072198.tif 000009
次に、本発明に係る第２の実施形態のマイクロ電磁波発生装置について、図面を参照して説明する。
本発明は、マイクロ電磁波発生器を複数用い、人体の周囲に対向配置するよう可動的に配置し自在にリモコン操作で位置も容易に調節を可能とした事にある。
その構成は、第７図に示すように、マイクロ電磁波発生器２を、垂直のポール４に把持し、定着ツマミ３で圧接し固定する。或いは、圧接せず絶えず自在な状態に保持しリモコン操作を容易にする。
これらを複数配置するときは、対向する放射エネルギーを強調されるように配置する。
治療患者は対向する中間に回転自在の台座上７に直立する。若しくは座る台座は回転起動スイッチ８と回転台座速度調整ツマミ９で制御する。
回転軸を支点にし可動する台座上に治療患者を直立させ、身体患都にマイクロ電磁波発生器２を、高さ方向のリモコン操作で位置調整し、どの様な患部でも容易にマイクロ電磁波は放射されるよう構成とする。５は垂直ボールを床に固着するベースである。
また、患者の病状が軽く微小なガン細胞の時、本発明の可動方式を複数で用いず単体で使用することでよい、片面だけのマイクロ電磁波放射で十分である。
次に、上記説明した第１及び第２の実施形態のマイクロ電磁波発生器を用いて、実際にガン細胞等を壊滅できるための、ガンに対する非侵襲性ハイパワーマイクロ波装置（マイクロ電磁波発生器）の基礎的研究について説明する。
新マイクロ波治療について、
現在マイクロ波は、一般的には小範囲の肝臓ガンに対して経皮的に針を刺して病巣部まで近づける、また前立腺肥大では経尿道的に患部に到達させ、その先から弱いマイクロ波を照射してガン組織を熱によって破壊させる方法が行なわれている。これらは腫瘍の大きさや数に制限があり、対処療法の域を脱していない。一方、我が国では数年前から、体外から相対した２台の強いマイクロ波（１ＧＨｚ〜１０ＧＨｚ）を同時に体内に照射すれば、その中心部は２つの電波が共振してビート周波数が発生し、強いエネルギーを生むことを発見している。
一方、ガン細胞には、正常細胞には存在しないフリーラヂカルが存在する。ガンにこの強いマイクロ波を照射すればフリーラヂカルは短時間に超高速で振動を繰り返して高熱を発生し、その結果ガン細胞のみを選択的に破壊出釆るという理論から、独自に画期的な小型マイクロ波装置（上記の第１及び第２の実施形態で説明したマイクロ電磁波発生器）を開発した。これは従釆のｐｉｎ−ｐｏｉｎｔではなく面によるマイクロ波を対外から照射して、一度に広範囲のガンや転移巣を破壊し、しかも照射時問を数秒の単位で行なえるため、電磁波による影響を最小限にすることが出来ることを目標にしたものである。この画期的な非侵襲性ハイパワーマイクロ波発生装置のガンに対する医療面への応用の可能性を検討するため、各種の基礎的実験を行なった結果を以下発表する。
ＭＥＴＨＯＤ  ＡＮＤ  ＭＡＴＥＲＩＡＬＳ
実験１：動物実験による安全性テスト
生後９か月〜１１か月の雄のビーグル犬１０頭（体重１０．９±０．９１Ｋｇ）を用いて、６０ｃｍの間隔に２台のマイクロ波発生装置（マイクロ電磁波発生器）を相対して設置し、その中問に実験動物を臥せらせ、肝臓の部分を中心に胸部や腹部が１回の照射で被爆されるようにし、前後方向から２回と側面方向から２回を各２秒問隔で、双方のマイクロ波を同時に各３秒問照射した。更に、この操作を３日問連続して同様に行ない、照射前、照射後、１週問後、２週間後、３週問後、４週間後の健康状態のチック、血液検査などを行なった。
▲１▼健康状態のチック項目
体温、体重、全身状態・・・第８図、第９図
全週程で実験前と変化なく良好な全身状態を示した。発熱、体重減少は認めなかった。
▲２▼血液検査・・・
ＷＢＣ、白血球分画、ＲＢＣ、Ｈｂ、血小板数、ＴＰ、Ｔ−Ｂｉｌ、ＧＯＴ、ＧＰＴ、ＬＤＨ、ＡＬＰ、Ａｍｙｌａｓｅ、ＣＰＫ、Ｇｌｕｃｏｓｅ、ＮＨ３、ＢＵＮ、Ｃｒ等の検査を行なった。
結果：第１０図、第１１図、第１２図、第１３図、第１４図、第１５図、第１６図、第１７図、第１８図、第１９図
照射２週問目でＷＢＣのわずかな低下が見られたが、その後回復した。白血球分画では、Ｅｏｓｉｎｏが照射後と１週目に２８％、３週間目で４８％減少したが、４週目で７２％まで回復した。ＲＢＣとＨｂは照射後から４週目に渡って１０％前後の低下を認めたが進行性の異常値には至っていない。
実験２：培養中のガン細胞の増殖に及ぼす影響
Ｓａｒｃｏｍａ１８０をＭＥＭの培地で培養中の４個の容器に、本マイクロ波２基を用いて４０ｃｍの距離から双方同時に３秒間照射し、その２秒後同様に３秒問照射し、その後の増殖の度合いをコントロール群と比較した。
結果：
実験３：移植担ガンマウスの増殖に及ぼす影響
ＰＣ−３（ヒト前立腺）を殿部に移植されたマウス４匹に本マイクロ波発生装置（マイクロ電磁波発生器）２基を用いて４０ｃｍの距離から双方同時に３秒間照射し、その２秒後同様に３秒間照射し、その後７日間の形態の変化を観察した。
結果：
実験４：尿中およびＤＮＡの８−ＯＨｄＧ（８−ｈｙｄｒｏｘｙｄｅｏｘｙｇｕａｎｏｓｉｎｅ）の変動
ＤＮＡの酸化的損傷のｂｉｏｍａｒｋｅｒである８−ＯＨｄＧを調べることによって、マイクロ波照射前後ＤＮＡの酸化的損傷の修復程度を知ることができる。
▲１▼自然発生の担ガン犬２頭の尿中８−ＯＨｄＧの変動
操作方法は実験１と同様の：方法で２日間行なった。
ａ）．種類  ヨークシャーテリア、体重３．２Ｋｇ去勢雄  １９８７年生  肝腫瘍、膀胱結石、腹水著明。
ｂ）．種類  シーズ、体重４．３Ｋｇ、避妊雌、１９８５年生、乳腺ガン、歩行困難
結果：ａ）では原尿の８−ＯＨｄＧ値の平均値は１５５、照射後の尿中８−ＯＨｄＧ値の平均値は４２．５、ｂ）では、原尿の８−ＯＨｄＧの平均値は、２４、照射後の尿中８−ＯＨｄＧ値の平均値は１３．０と共に明らかな低下が見られた。
▲２▼人体の大腸がん（ａｄｅｎｏｃａｒｃｉｎｏｍａ）組織のＤＮＡの８−ＯＨｄＧの変動
Ａｆｔｅｒ  ｉｎｆｏｒｍｅｄ  ｃｏｎｃｅｎｔで得た新鮮標本からＤＮＡにおける８−ＯＨｄＧの変動を観察した。
結果：
実験５：ｌｉｖｉｎｇ  ｃｅｌｌの変動
▲１▼ｌｉｖｉｎｇ  ｃａｎｃｅｒ  ｃｅｌｌの変動
方法：Ａｆｔｅｒ  ｉｎｆｏｒｍｅｄ  ｃｏｃｅｎｔ、人体の乳房に見られたガン性潰瘍から直接カバーグラスで採取した分泌物を１０００倍の位相差顕微鏡下で観察したところ、細胞膜に囲まれたｓｏｌｉｄなガン細胞の集落を認めた。この標本に対して一台のマイクロ波発生装置で３秒間照射後、形態の変化を経時的に観察した。
結果：第２０図に示すように、マイクロ波照射５分後には、細胞膜の肥大が見られ、部分的に崩壊が見られる。
第２１図に示すように、３０分後には細胞膜か完全に破壊されて消失し、細胞質の形態も失っている。
形態的には正常細胞には異常は見られない。
▲２▼Ｎｏｒｍａｌ  Ｂｌｏｏｄとの比較
方法：対象として正常人の指先から採取した新鮮な一滴の血液に、▲１▼と同様一台のマイクロ波発生装置で３秒問照射後、赤血球と白血球の形態の変化を１０００倍の位相差顕微鏡で経時的に観察した。
結果：第２２図に示すように、マイクロ波照射後の変動は見られず、３０分後の白血球はむしろ活発な活動をもって遊走していた。
実験６：マイクロ波によるガン細胞の温度変化，
体内に存在するガン細胞が、マイクロ波によってどの程度温度が上昇し、ガン細胞を破壊するのか、また周辺組織の温度上昇との関係について下記のような実験を行なった。
方法：Ａｆｔｅｒ  ｉｎｆｏｒｍｅｄ  ｃｏｎｃｅｎｔ、人体から得られた新鮮なガン組織に寒暖計を装着し、これを食肉用の豚肉（１０ｃｍ×５ｃｍ、厚さ２０ｃｍ）の中に包埋し、ガン組織から１ｃｍずつ離して３本の寒暖計をこの肉の中に装着し、全体を湯で徐々に加温して、全体の温度が３７℃になった時点で、４０ｃｍの間隔から２台のマイクロ波を同時に３秒間、３秒後同じく３秒問照射し、各部における温度の変化を比較検討した。また照射前後の病理組織像の比較も同時に行なった。
結果：
ＤＩＳＣＵＳＳＩＯＮ
近来、マイクロ波によるガン治療の概念は、物体の中の水の分子を振動させることによって熱を発生させ、その熱でガンを凝固させることを目的とした。医療面では現在、経皮的に電極を肝臓内に挿入し、直径２ｃｍ以内の肝臓ガンを凝固させるが、後出血や一回での治療範囲が狭く、治療回数をふやす欠点があるため、現在はラジオ波に変わりつつある。また経尿道的に前立腺肥大や前立腺ガンにも応用されているが、照射時間が３０分以上と長いため、尿道と直腸を冷却する必要がある。肝細胞ガンについてはＬｕ、Ｃｈｅｎなどは効果を高めるため、電極の数をふやせば、６ｃｍ以下の肝細胞ガンにも有効に働くと述べている。一方、マイクロ波は手術中に骨のガンに照射したり、Ｅｎｄｏｍｅｔｏｒｉｕｍのａｂｌａｔｉｏｎなど次第に応用範囲が拡大しつつある。しかしながら現在は、マイクロ波にしてもラジオ波にしてもｐｉｎ−ｐｏｉｎｔの治療法であり、これではその適応範囲は限定されるのは当然であり、ガン治療の面から言えば、対処療法の域を脱しない。
電磁渡冶療の発展を期すには、先ず非侵襲性であること、照射時間を短縮し、電磁波の影響を最小限度に留める、従来のｐｉｎ−ｐｏｉｎｔではなく面であることが望ましい条件となる。
そうなればその応用範囲は画期的に拡大する。そこでわれわれの開発した木装置は、２０数ｃｍ２の面からマイクロ波が同時に照射さるため、有効範囲が点から面に変わるため従来の装置よりもよりハイパワーになっており、しかも二台のマイク波発生装置を相対して置き、同時に数秒の単位でマイクロ波を発生させることにより、その中心部にビート現象が起こり、そのｐｏｗｅｒ  ｄｅｎｓｉｔｙは１Ｗ／ｃｍ２にも達する。そこに対象物を置けば、体液の温度が異常に上昇する以前にガンに特異的に存在するフリーラジカルが強烈な電磁波によって高速で振動を繰り返して発熱し、ガン細胞のみを選択的に破壊出来る。これらは実験４、５、６から証明できた。しかも体外から非侵襲的に数秒の単位で照射できるため、電磁波の影響を最小限度に食い止められるメリットがある。本装置が将来、臨床に応用されるならば、例えば腫瘍と同時にリンバ腺、手術不能な広範なガンなど、体外からしかも数秒の単位で有効に作用するため、その応用範囲は格段に拡大できる可能性を秘めている。
ここで問題となるのが、電磁渡による生体への影響であるが、Ｔｒｏｓｉｃの実験によればｒａｔのｗｈｏｌｅ  ｂｏｄｙに２４５０ＭＨｚのｍｉｃｒｏｗａｖｅを５−１５ｍｗ／ｃｍ２のｐｏｗｅｒ  ｄｅｎｓｉｔｙに設定し、２時問に照射の回数をいろいろ変えて観察した結果では、ｍｕｌｔｉｎｕｃｌｅａｔｅｄ  ｇｉａｎｔ  ｃｅｌｌの出現を観察しており、紬胞内の核の数の上昇は照射時問と線量によるといっている。これらの細胞はｍａｃｒｏｐｈａｇｅｓのｆｕｓｉｏｎによって形成されるが、ｍａｃｒｏｐｈａｇｅ  ｇｅｎｅｒａｔｉｏｎのｋｉｎｅｔｉｃｓとの関係については明らかではない。したがってこの現象だけで病的兆候と即断することはできない。電磁波の影響は照射時間とｐｏｗｅｒ  ｄｅｎｓｉｔｙによって決定されることは当然である。例えｐｏｗｅｒ  ｄｅｎｓｉｔｙが１Ｗであっても照射時問が数秒という単位であれば、生体に及ぼす影響は無視できる範囲内に留まると考えられる。それは例えば強いＵｌｔｒａｖｉｏｌｅｔの下でも短時間であれば生体に及ぼす影響は無視出未よう。しかしながら今後の研究の余地は残されている。
Ｈｏｃｋｉｎｇは、ｍｉｃｒｏ  ｗａｖｅを終始取り扱うｗｏｒｋｅｒｓの中に頭痛、疲労感、自律神経失調症などの症状（ｍｉｃｒｏｗａｖｅ  ｓｉｃｋｎｅｓｓ）を呈するものがいると報告しているが、これらはアルミニウム壁と一部風通しのよい箇所を作っておけば、容易に解決できる。
本器の安全性に関する動物実験や、生きた血液による白血球の経時的変化を見ても優れた結果を得た。一方、ガンに対する効果は、ガンを取り巻くフリーラジカルを利用した新しい想定の元に、有効かつ非侵襲的に短時間にガンを破壊できることが分かった。
産業上の利用可能性
本発明の装置を用いた臨床実駿例では、人体や動物に発生したガン細胞の冶療効果は顕著に表れ、副作用もまったく見られない。
臨床で冶療患部である体内部、深部の病原体及び特にガン細胞に対する病巣を熱エネルギーで壊滅的に除去する事かでき、因みに４２℃以上が最良である。
現実に百数十人前後の患者を臨床的に実施した。特に末期重症ガンの患者を対象とし、その臨床試験例として、一週間で効果が回復の兆しを見せる患者や骨髄ガン患者の傷みを抑える事にも成功した。勿論モルヒネは投与せず長時間の痛みを忘れる事が可能である。
更に、動物実験例で何ら副作用なる異常は見られなかった。
【図面の簡単な説明】
第１図は、本発明のマイクロ電磁波発生器を略示的に示した側面図である。
第２図は、本発明のマイクロ電磁波発生器を略示的に示した上面図である。
第３図は、本発明のマイクロ電磁波発生器を略示的に示した側面図及びスイッチ関係の配置を示した説明図である。
第４図は、本発明のマイクロ電磁波発生器の前面部分を示した説明図である。
第５図は、マイクロ電磁波発生器を用いて身体にマイクロ電磁波を放射したときの説明図である。
第６図は、活性酸素や＋−の電解質にマイクロ電磁波の電場が作用したときの影響を示した説明図である。
第７図は、マイクロ電磁波発生器を複数台対向配置し、回転台座上の身体に側面よりマイクロ波を放射して治療する様子を示した説明図である。
第８図は、実験に使用したビーグル犬の体重をグラフで表した実験結果である。
第９図は、実験に使用したビーグル犬の体温をグラフで表した実験結果である。
第１０図は、実験に使用したビーグル犬の白血球をグラフで表した実験結果である。
第１１図は、実験に使用したビーグル犬の赤血球、ヘモグロビンをグラフで表した実験結果である。
第１２図は、実験に使用したビーグル犬の血小板数をグラフで表した実験結果である。
第１３図は、実験に使用したビーグル犬の総蛋白、Ｔ−Ｂｉｌをグラフで表した実験結果である。
第１４図は、実験に使用したビーグル犬のＧＯＴ、ＧＰＴをグラフで表した実験結果である。
第１５図は、実験に使用したビーグル犬のＬＤＨ、ＡＬＰをグラフで表した実験結果である。
第１６図は、実験に使用したビーグル犬のＡｍｙｌａｓｅ、ＣＰＫをグラフで表した実験結果である。
第１７図は、実験に使用したビーグル犬のＧｌｕｃｏｓｅ、ＮＨ３をグラフで表した実験結果である。
第１８図は、実験に使用したビーグル犬のＢＵＮ、Ｃｒをグラフで表した実験結果である。
第１９図は、実験に使用したビーグル犬の白血球分画をグラフで表した実験結果である。
第２０図は、一台のマイクロ波を標本に向けて３０ｃｍの距離から３秒間照射後５分後の径庭の変化期を示した顕微鏡写真である。
第２１図は、図２０における実験で、３０分後の形態の変化を示す顕微鏡写真である。
第２２図は、正常人の指先から採取した一滴の血液に一台のマイクロ波を向けて３０ｃｍの距離から３秒間照射後３０分後の形態の変化を示した顕微鏡写真である。
【図１】
2002072198.tif 000010
【図２】
2002072198.tif 000011
【図３】
2002072198.tif 000012
【図４】
2002072198.tif 000013
【図５】
2002072198.tif 000014
【図６】
2002072198.tif 000015
【図７】
2002072198.tif 000016
【図８】
2002072198.tif 000017
【図９】
2002072198.tif 000018
【図１０】
2002072198.tif 000019
【図１１】
2002072198.tif 000020
【図１２】
2002072198.tif 000021
【図１３】
2002072198.tif 000022
【図１４】
2002072198.tif 000023
【図１５】
2002072198.tif 000024
【図１６】
2002072198.tif 000025
【図１７】
2002072198.tif 000026
【図１８】
2002072198.tif 000027
【図１９】
2002072198.tif 000028
【図２０】
2002072198.tif 000029
【図２１】
2002072198.tif 000030
【図２２】
2002072198.tif 000031
【手続補正書】
【提出日】平成14年6月26日(2002.6.26)
【手続補正１】
【補正対象書類名】明細書
【補正対象項目名】特許請求の範囲
【補正方法】変更
【補正の内容】
【特許請求の範囲】
【請求項１】
削除
【請求項２】
削除
【請求項３】
マグネトロン（１６）と、開口部の開口角度を調整可能とした電磁波ホーン（１）とが一体に構成されてなるマイクロ電磁波発生器（２）を複数個、身体の側面に対向配置してなるマイクロ電磁波発生装置であって、該対向配置したマイクロ電磁波発生器（２）又は身体の何れかを回転させながら、対向配置したそれぞれのマイクロ電磁波発生器（２）から１．０〜５ＧＨｚのマイクロ電磁波を同時に数秒間放射して身体内の深部に到達するようにしてなるマイクロ電磁波発生装置。
【請求項４】
削除
【請求項５】
削除
【請求項６】
約５００Ｗの電磁エネルギーを有するマイクロ電磁波を身体に向けて放射するようにしたことを特徴とする請求の範囲第３項記載のマイクロ電磁波発生装置。
【手続補正２】
【補正対象書類名】明細書
【補正対象項目名】０００１
【補正方法】変更
【補正の内容】
【０００１】
明    細    書
マイクロ電磁波によるガン細胞組織壊滅方法及びマイクロ電磁波発生装置
技術分野
本発明は、マグネトロンによる電磁波発生器を具備したマイクロ電磁波治療器を用いて、特に人体及び動物を医療治療対象とし、マイクロ電磁波の電場エネルギーで活性酸素や電解質を加熱し、熱エネルギーでガン細胞を壊滅させる方法及び装置に関する。
背景技術
従来技術におけるマイクロ電磁波発生器を具備したガン治療医療器は多種類の構造のものが存在し周知となっているが、現実には動物等を使用した臨床試験を行っておらず、所謂、机上の論理であるものが多数存在する。
実際に駆動できるところまで開示されている過去に周知のマイクロ電磁波治療器の構成は、大型構造の設備構成のものが存在し、その操作も複雑で電磁波を放射させることだけが主要な構成になっている。
更に、電磁波とガン細胞との関係について言及しているものは少なく、特に電磁波によりガン細胞を壊滅させるということの詳細な解説をしたものはない。
また、ガン細胞、その他を壊滅する研究発表は未だ皆無であり、身体による臨床試験或いは動物実験等の臨床も見聞したことはなく、机上論もな


【手続補正３】
【補正対象書類名】明細書
【補正対象項目名】０００２
【補正方法】変更
【補正の内容】
【０００２】
い。
因みに、解説として現時点ではマイクロ電磁波治療器について、従来通りの電磁波治療器の構成のものが存在し、温熱療法として説明してあるものが周知である。
これらは全て、物理治療法概念から脱皮されてない思想で一般的に、その構造はマイクロ電磁波発生器のマイクロ電磁波を同軸ケーブルや電線、或いは空洞ダクト等の電路を通じて電磁波エネルギーを放射するというもので、装置もその操作も大変大掛かりな構造になっている。
一般的に、ガン細胞は上皮組織にできるもので、胃ガン・子宮ガン・乳ガン・肺ガン・肝臓ガン・食道ガン・直腸ガンなどの上皮性のガンと言われているが、上皮組織を着物の丹前に例えると、丹前の外側が上皮で、内側が皮膚の粘膜にあたる。
内側は人間の内臓や器官で、外側と違い皮膚のように乾燥しないよう、粘液が保護しドロドロ状態である。その粘液の出る腺にできるのが腺ガンであり、丹前の中間にできるのが悪性腫瘍で肉腫になる。
血管肉腫や骨や筋肉の肉腫・脂肪肉腫などもよく知られている。その他、白血病・悪性リンパ腫・脳腫瘍等がある。
又、ガンが原始的に発生して間もない未分化ガンは、ハッキリしない状態の分化ガンなどのたちの悪いガンで、マイクロ電磁波による治療が最良の治療ではないかと思われる。
因みに、ガンの診断には細胞診の段階数値がある。▲１▼▲２▼▲３▼▲４▼▲５▼の段階に分け、診断される。この段階数値は、▲２▼は正常、▲３▼は経過を観察する程度、▲４▼は９０％のガン細胞、▲５▼は１００％ガン細胞である、となっている。
一方、ガン細胞を撲滅するための治療面でも手術やホルモン療法・


【手続補正４】
【補正対象書類名】明細書
【補正対象項目名】０００３
【補正方法】変更
【補正の内容】
【０００３】
化学療法・免疫療法などが進んでおり、抗ガン剤の使用は副作用を伴う。過去の例によると子宮ガンである場合に、放射線治療を行った直後に、直腸ガンになったケースが報告されている。しかし、これらの放射線や抗ガン剤の有効性も認められている。又、副作用の無い免疫療法や漢方薬、お灸などもあるが、その治療効果は確認されていない。
最近、米国の大学で乳ガンにマイクロ電磁波を用いた成功例もある。
ところで、ガン細胞は、体内に発生する活性酸素が体内の細胞に悪影響を与えることにより発生することが臨床例として報告されている。
本発明は、この活性酸素と電解質に注目したもので、マイクロ電磁波発生器をガン患者のガン細胞の組織周辺部に向けマイクロ電磁波（電磁エネルギー：５００Ｗ前後）を放射するようにしたのである。
特に、第６図に示すように、ガン細胞の周辺部には活性酸素（Ｏ２−）が非常に多いので、このラジカルな活性酸素及び電解質４０はマイナスの成分であるから、マイクロ電磁波の電界を＋−の交流成分で変動させると、その＋−の電場がラジカルな活性酸素を振動４２作用させ、自分自身が自己加熱され熱エネルギー４１になり、その結果、温度上昇して４２℃以上になる。
そうすると、ガン細胞は壊滅に至ることになる。
勿論、周辺部にある血液等の電解質４０も同様に温度上昇し、相乗効果が生じる。これは、ガン細胞は温度に弱いことから医学界でも十


【手続補正５】
【補正対象書類名】明細書
【補正対象項目名】０００４
【補正方法】変更
【補正の内容】
【０００４】
分周知の事であるから死滅することは当然である。
又、一般的に遠赤外線治療器でも人体の表面にあるガン細胞の壊滅にはかなり効果はあるが、体内の深部にあるガン細胞を壊滅するためには、遠赤外線の電磁波の波長が短いので到達することはできない。これに対し、マイクロ電磁波（１．０〜５ＧＨｚ）は、身体内部に十分貫通する。
従って、このマイクロ電磁波をガン細胞組織周辺に向け放射すれば、マイナス活性酸素と血液との電界物質が豊富にあるところは全て、加熱の相乗効果が表れ、自己加熱作用でガン細胞等の正常細胞以外は容易に壊滅することができる。
発明の開示
本発明はかかる課題を解決するために、下記に示す構成にすることである。
（１）マグネトロンと電磁波ホーンとで構成されたマイクロ電磁波発生器によりマイクロ電磁波を放射し、ガン細胞組織の一部である活性酸素と周辺部に活動する血液等電解質を、マイクロ電磁波の電場エネルギーで自己振動させて加熱し、ガン細胞だけを壊滅させることを特徴としたマイクロ電磁波によるガン細胞組織壊滅方法。


【手続補正６】
【補正対象書類名】明細書
【補正対象項目名】０００５
【補正方法】変更
【補正の内容】
【０００５】
（２）マグネトロンと電磁波ホーンとで構成された複数のマイクロ電磁波発生器を、身体の側面に対向配置し、該対向配置したそれぞれのマイクロ電磁波発生器からマイクロ電磁波を放射して身体内の深部に到達するようにしたことを特徴とするマイクロ電磁波発生装置。
（３）上記マイクロ電磁波発生器が、一体構造の可変開口調整ホーン付きのマイクロ電磁波発生器であることを特徴とする（２）に記載のマイクロ電磁波発生装置。
（４）上記対向配置したマイクロ電磁波発生器又は身体の何れかを回転させながら該マイクロ電磁波発生器からマイクロ電磁波を放射するようにしたことを特徴とする（２）または（３）に記載のマイクロ電磁波発生装置。
図面の簡単な説明
第１図は、本発明のマイクロ電磁波発生器を略示的に示した側面図である。
第２図は、本発明のマイクロ電磁波発生器を略示的に示した上面図である。
第３図は、本発明のマイクロ電磁波発生器を略示的に示した側面図及びスイッチ関係の配置を示した説明図である。
第４図は、本発明のマイクロ電磁波発生器の前面部分を示した説明図である。
第５図は、マイクロ電磁波発生器を用いて身体にマイクロ電磁波を放射したときの説明図である。
第６図は、活性酸素や＋−の電解質にマイクロ電磁波の電場が作用したときの影響を示した説明図である。
第７図は、マイクロ電磁波発生器を複数台対向配置し、回転台座上の身体に側面よりマイクロ波を放射して治療する様子を示した説明図である。


【手続補正７】
【補正対象書類名】明細書
【補正対象項目名】０００６
【補正方法】変更
【補正の内容】
【０００６】
第８図は、実験に使用したビーグル犬の体重をグラフで表した実験結果である。
第９図は、実験に使用したビーグル犬の体温をグラフで表した実験結果である。
第１０図は、実験に使用したビーグル犬の白血球をグラフで表した実験結果である。
第１１図は、実験に使用したビーグル犬の赤血球、ヘモグロビンをグラフで表した実験結果である。
第１２図は、実験に使用したビーグル犬の血小板数をグラフで表した実験結果である。
第１３図は、実験に使用したビーグル犬の総蛋白、Ｔ−Ｂｉｌをグラフで表した実験結果である。
第１４図は、実験に使用したビーグル犬のＧＯＴ、ＧＰＴをグラフで表した実験結果である。
第１５図は、実験に使用したビーグル犬のＬＤＨ、ＡＬＰをグラフで表した実験結果である。
第１６図は、実験に使用したビーグル犬のアミラーゼ（Ａｍｙｌａｓｅ）、ＣＰＫをグラフで表した実験結果である。
第１７図は、実験に使用したビーグル犬のグルコース（Ｇｌｕｃｏｓｅ）、ＮＨ３をグラフで表した実験結果である。
第１８図は、実験に使用したビーグル犬のＢＵＮ、Ｃｒをグラフで表した実験結果である。
第１９図は、実験に使用したビーグル犬の白血球分画をグラフで表した実験結果である。
第２０図は、一台のマイクロ波を標本に向けて３０ｃｍの距離から３秒間照射後５分後の形態の変化期を示した顕微鏡写真である。


【手続補正８】
【補正対象書類名】明細書
【補正対象項目名】０００７
【補正方法】変更
【補正の内容】
【０００７】
第２１図は、図２０における実験で、３０分後の形態の変化を示す顕微鏡写真である。
第２２図は、正常人の指先から採取した一滴の血液に一台のマイクロ波を向けて３０ｃｍの距離から３秒間照射後３０分後の形態の変化を示した顕微鏡写真である。
発明を実施するための最良の形態
次に、本発明に係るマイクロ電磁波によるガン細胞組織壊滅方法及びマイクロ電磁波発生装置の実施形態について、図面を参照して説明する。
本発明に係るマイクロ電磁波によるガン細胞組織壊滅方法を具現化するためのマイクロ電磁波発生器は、通常約４ｋＶＫの高圧が必要であり、マグネトロンと電磁波放射とを一体構成した可変開口調整放射部を有するマイクロ電磁波発生器で、放射器の電磁ホーン部分は部分開口部を可動的に具備し、機械的なハンドル等で調整する構造になっている。
一般的に、従来のマイクロ電磁波発生器は、発生したマイクロ波を同軸ケーブル電線や空洞ダクトを通じ、電磁波エネルギーを放射していたが、ロスが非常に多い。また、治療者の操作も大掛かりで大変危険な状態でもあった。開口部も全てが固定式であるから、エネルギー放射面も一定で、変更するには別々の機器が必要であった。
本発明は、一体構造の可変開口調整ホーン付きのマイクロ電磁波発生器であるから、安全で、かつ、外観上も小型にでき、優れたマイクロ電磁波発生器を提供することが可能である。
第１の実施形態のマイクロ電磁波発生器２は、第１図〜第４図に示すように、電源トランス１７から電源が供給され、マイクロ電磁波を発生させるマグネトロン１６を備え、可変開口調整ホーン部１１、１２からなる電磁波ホーン部１を


【手続補正９】
【補正対象書類名】明細書
【補正対象項目名】０００８
【補正方法】変更
【補正の内容】
【０００８】
一体構造とした構成になっている。ツマミ１３を用いて、可変開口調整ホーン部１１、１２を、可動ギア等の歯車で縦方向と横方向に変化させ、回転軸１５ａ、１５ｂを支点にして回動させることにより、治療患者の体質に合わせ開口部（Ａ〜Ａ’・Ｂ〜Ｂ’）を決めることができる構造になっている。
開口部前面１８の全面枠に絶縁体材２６でカバーし治療患者に対する恐怖心を抑えるような形状で不安感を考慮した構成になっている。
更に、本発明の可動方式で容易に開口部の調整を行うことは、マイクロ電磁波の空間放射電気インピーダンスの整合が特に重要であるからであり、患者の体質にも合わせた電磁気学的インピーダンスも相等しくすることが最大条件である。治療効果は下記の条件を揃えた時に最良となる。
マイクロ電磁波発生器（内部インピーグンス）＝
ホーンの放射電気インピーダンス＋人体の内部抵抗
また、開口部Ａ〜Ａ’・Ｂ〜Ｂ’の電磁波放射口が極端に狭いと、マイクロ電磁波が発振停止を起こし、不安定な発振作用となる。
又、電源の操作はスタートスイッチ（２２）を投入し、電源の表示ランプ２１が点灯する。タイマースイッチ（２３）によってセットされた時間だけ駆動する。緊急時は停止スイッチ（２４）を押すことで電源は切断される。
このように、第５図に示すように、マグネトロン１６と電磁波ホーン部１を一体構造にした装置で、開口部前面を人体や動物のガン細胞周辺部に向けて、マイクロ電磁波（１．０〜５ＧＨｚ）を放射する。電源は家庭用コンセントから電源入力３を通じて挿入する。
ここで電磁波の空間放射電気インピーダンスの整合が特に重要で、患者の体質にも合わせた電磁気学的インピーダンスも相等しくすることが最大条件であるから、電磁波放射口はホーン状に揃えた時が最良であり、上述したように、［マイクロ電磁波発生器（内部インピーダンス）＝ホーンの放射電気インピーダンス＋人体の内部抵抗］、


【手続補正１０】
【補正対象書類名】明細書
【補正対象項目名】０００９
【補正方法】変更
【補正の内容】
【０００９】
の関係にすることが必要である。
本発明の装置を用いた臨床実駿例では、人体や動物に発生したガン細胞の治療効果は顕著に表れ、副作用もまったく見られない。参照例として表１、表２、表３に示すデータを列記する。
2002072198.tif 000032
【手続補正１１】
【補正対象書類名】明細書
【補正対象項目名】００１４
【補正方法】変更
【補正の内容】
【００１４】
2002072198.tif 000033
次に、本発明に係る第２の実施形態のマイクロ電磁波発生装置について、図面を参照して説明する。
本発明は、マイクロ電磁波発生器を複数用い、人体の周囲に対向配置するよう可動的に配置し、自在にリモコン操作で位置も容易に調節を可能としたことにある。
その構成は、第７図に示すように、マイクロ電磁波発生器２を、垂直のポール４に把持し、定着ツマミ３で圧接し固定する。或いは、圧接せず、絶えず自在な状態に保持し、リモコン操作を容易にする。
これらを複数配置するときは、対向する放射エネルギーを強調されるように配置する。
治療患者は対向する中間に回転自在の台座上７に直立する。若しくは座る台座は回転起動スイッチ８と回転台座速度調整ツマミ９で制御する。
回転軸を支点にして回動する台座上に治療患者を直立させ、身体患都にマイクロ電磁波発生器２を、高さ方向のリモコン操作で位置調整し、どの様な患部でも容易にマイクロ電磁波は放射されるような構成とする。５は垂直ポールを床に固着するベースである。
また、患者の病状が軽く微小なガン細胞の場合は、本発明の可動方式を


【手続補正１２】
【補正対象書類名】明細書
【補正対象項目名】００１５
【補正方法】変更
【補正の内容】
【００１５】
複数で用いず単体で使用するだけでよく、また、片面だけのマイクロ電磁波放射で十分である。
次に、上記説明した第１及び第２の実施形態のマイクロ電磁波発生器を用いて、実際にガン細胞等を壊滅できるための、ガンに対する非侵襲性ハイパワーマイクロ波装置（マイクロ電磁波発生器）の基礎的研究について説明する。
新マイクロ波治療について、
現在マイクロ波は、一般的には小範囲の肝臓ガンに対して経皮的に針を刺して病巣部まで近づける、また前立腺肥大では経尿道的に患部に到達させ、その先から弱いマイクロ波を照射してガン組織を熱によって破壊させる方法が行なわれている。これらは腫瘍の大きさや数に制限があり、対処療法の域を脱していない。
一方、ガン細胞には、正常細胞には存在しないフリーラジカルが存在する。ガンにこの強いマイクロ波を照射すればフリーラジカルは短時間に超高速で振動を繰り返して高熱を発生し、その結果ガン細胞のみを選択的に破壊出来るという理論から、独自に画期的な小型マイクロ波装置（上記の第１及び第２の実施形態で説明したマイクロ電磁波発生器）を開発した。これは従来のピンポイントではなく面によるマイクロ波を体外から照射して、一度に広範囲のガンや転移巣を破壊し、しかも照射時間を数秒の単位で行なえるため、電磁波による影響を最小限にすることを目標にしたものである。この画期的な非侵襲性ハイパワーマイクロ波発生装置のガンに対する医療面への応用の可能性を検討するため、各種の基礎的実験を行なった結


【手続補正１３】
【補正対象書類名】明細書
【補正対象項目名】００１６
【補正方法】変更
【補正の内容】
【００１６】
果を以下発表する。
実施例
実験１：動物実験による安全性テスト
生後９か月〜１１か月の雄のビーグル犬１０頭（体重１０．９±０．９１Ｋｇ）を用いて、６０ｃｍの間隔に２台のマイクロ波発生装置（マイクロ電磁波発生器）を相対して設置し、その中間に実験動物を臥せさせ、肝臓の部分を中心に胸部や腹部が１回の照射で被爆されるようにし、前後方向から２回と側面方向から２回を各２秒間隔で、双方のマイクロ波を同時に各３秒間照射した。更に、この操作を３日間連続して同様に行ない、照射前、照射後、１週間後、２週間後、３週間後、４週間後の健康状態のチック、血液検査などを行なった。
▲１▼健康状態のチック項目
体温、体重、全身状態・・・（第８図、第９図参照）
全週程で実験前と変化なく良好な全身状態を示した。発熱、体重減少は認めなかった。
▲２▼血液検査
ＷＢＣ、白血球分画、ＲＢＣ、Ｈｂ、血小板数、ＴＰ、Ｔ−Ｂｉｌ、ＧＯＴ、ＧＰＴ、ＬＤＨ、ＡＬＰ、Ａｍｙｌａｓｅ、ＣＰＫ、Ｇｌｕｃｏｓｅ、ＮＨ３、ＢＵＮ、Ｃｒ等の検査を行なった。
結果：（第１０図、第１１図、第１２図、第１３図、第１４図、第１５図、第１６図、第１７図、第１８図、第１９図参照）
照射２週間目でＷＢＣのわずかな低下が見られたが、その後回復した。白血球分画では、エオシノ（Ｅｏｓｉｎｏ）が照射後と１週目に２８％、３週間目で４８％減少したが、４週目で７２％まで回復した。ＲＢＣとＨｂは照射後から４週目に渡って１０％前後の低下を認めたが進行性の異常値には至っていない。


【手続補正１４】
【補正対象書類名】明細書
【補正対象項目名】００１７
【補正方法】変更
【補正の内容】
【００１７】
実験２：尿中の８−ＯｈｄＧ［８−ヒドロキシデオキシグアノシン（８−ｈｙｄｒｏｘｙｄｅｏｘｙｇｕａｎｏｓｉｎｅ）］の変動
ＤＮＡの酸化的損傷の生物学的標識（ｂｉｏｍａｒｋｅｒ）である８−ＯＨｄＧを調べることによって、マイクロ波照射前後ＤＮＡの酸化的損傷の修復程度を知ることができる。
▲１▼自然発生の担ガン犬２頭の尿中８−ＯＨｄＧの変動
操作方法は実験１と同様の方法で２日間行なった。
ａ）種類：ヨークシャーテリア、体重：３．２Ｋｇ、去勢雄、１９８７年生、肝腫瘍、膀胱結石、腹水著明。
ｂ）種類：シーズ、体重：４．３Ｋｇ、避妊雌、１９８５年生、乳腺ガン、歩行困難。
結果：ａ）では原尿の８−ＯＨｄＧ値の平均値は１５５、照射後の尿中８−ＯＨｄＧ値の平均値は４２．５、ｂ）では、原尿の８−ＯＨｄＧの平均値は、２４、照射後の尿中８−ＯＨｄＧ値の平均値は１３．


【手続補正１５】
【補正対象書類名】明細書
【補正対象項目名】００１８
【補正方法】変更
【補正の内容】
【００１８】
０と、共に明らかな低下が見られた。
実験３：生きている細胞の変動
▲１▼生きているガン細胞の変動
方法：患者同意の下で、人体の乳房に見られたガン性潰瘍から直接カバーグラスで採取した分泌物を１０００倍の位相差顕微鏡下で観察したところ、細胞膜に囲まれた固形のガン細胞の集落を認めた。この標本に対して一台のマイクロ波発生装置で３秒間照射後、形態の変化を経時的に観察した。
結果：第２０図に示すように、マイクロ波照射５分後には、細胞膜の肥大が見られ、部分的に崩壊が見られる。
第２１図に示すように、３０分後には細胞膜か完全に破壊されて消失し、細胞質の形態も失っている。
形態的には正常細胞には異常は見られない。
▲２▼正常血液との比較
方法：対象として正常人の指先から採取した新鮮な一滴の血液に、▲１▼と同様に一台のマイクロ波発生装置で３秒間照射後、赤血球と白血球の形態の変化を１０００倍の位相差顕微鏡で経時的に観察した。
結果：第２２図に示すように、マイクロ波照射後の変動は見られず、３０分後の白血球はむしろ活発な活動をもって遊走していた。


【手続補正１６】
【補正対象書類名】明細書
【補正対象項目名】００１９
【補正方法】変更
【補正の内容】
【００１９】
考察
近来、マイクロ波によるガン治療の概念は、物体の中の水の分子を振動させることによって熱を発生させ、その熱でガンを凝固させることを目的とした。医療面では現在、経皮的に電極を肝臓内に挿入し、直径２ｃｍ以内の肝臓ガンを凝固させるが、後出血や一回での治療範囲が狭く、治療回数をふやす欠点があるため、現在はラジオ波に変わりつつある。また経尿道的に前立腺肥大や前立腺ガンにも応用されているが、照射時間が３０分以上と長いため、尿道と直腸を冷却する必要がある。肝細胞ガンについてはＭｉｎｇ−ｄｅ  Ｌｕ、Ｊｕｎ−ｗｅｉ  Ｃｈｅｎ等は効果を高めるため、電極の数をふやせば、６ｃｍ以下の肝細胞ガンにも有効に働くと述べている（Ｒａｄｉｏｌｏｇｙ  ２００１  Ｏｃｔ；２２１（１）：１６７−１７２）。一方、マイクロ波は手術中に骨のガンに照射したり、子宮内膜の除去など次第に応用範囲が拡大しつつある。しかしながら現在は、マイクロ波にしてもラジオ波にしてもピンポイントの治療法であり、これではその適応範囲は限定されるのは当然であり、ガン治療の面から言えば、対処療法の


【手続補正１７】
【補正対象書類名】明細書
【補正対象項目名】００２０
【補正方法】変更
【補正の内容】
【００２０】
域を脱しない。
電磁波治療の発展を期すには、先ず非侵襲性であること、照射時間を短縮し、電磁波の影響を最小限度に留める、従来のピンポイントではなく面であることが望ましい条件となる。
そうなればその応用範囲は画期的に拡大する。そこでわれわれの開発した本装置は、２０数ｃｍ２の面からマイクロ波が同時に照射さるため、有効範囲が点から面に変わるため従来の装置よりもよりハイパワーになっており、しかも二台のマイク波発生装置を相対して置き、同時に数秒の単位でマイクロ波を発生させることにより、その中心部にビート現象が起こり、その出力濃度は１Ｗ／ｃｍ２にも達する。そこに対象物を置けば、体液の温度が異常に上昇する以前にガンに特異的に存在するフリーラジカルが強烈な電磁波によって高速で振動を繰り返して発熱し、ガン細胞のみを選択的に破壊出来る。これらは実験２、３から証明できた。しかも体外から非侵襲的に数秒の単位で照射できるため、電磁波の影響を最小限度に食い止められるメリットがある。本装置が将来、臨床に応用されるならば、例えば腫瘍と同時にリンバ腺、手術不能な広範なガンなど、体外からしかも数秒の単位で有効に作用するため、その応用範囲は格段に拡大できる可能性を秘めている。
ここで問題となるのが、電磁波による生体への影響であるが、Ｉｖａｎｃｉｃａ  Ｔｒｏｓｉｃの実験によればラットの全身に２４５０ＭＨｚのマイクロ波を５−１５ｍＷ／ｃｍ２の出力濃度に設定し、２時間に照射の回数をいろいろ変えて観察した結果では、多核巨細胞（ｍｕｌｔｉｎｕｃｌｅａｔｅｄ  ｇｉａｎｔ  ｃｅｌｌ）の出現を観察しており、細胞内の核の数の上昇は照射時間と線量によるといっている（Ｉｎｔｅｒｎａｔｉｏｎａｌ  Ｊｏｕｒｎａｌ  ｏｆ  Ｈｙｇｉｅｎｅ  ａｎｄ  Ｅｎｖｉｒｏｎｍｅｎｔａｌ  Ｈｅａｌｔｈ  ２００１  Ｎｏｖ；２０４（２−３）：１３３−１３８）。


【手続補正１８】
【補正対象書類名】明細書
【補正対象項目名】００２１
【補正方法】変更
【補正の内容】
【００２１】
したがってこの現象だけで病的兆候と即断することはできない。電磁波の影響は照射時間と出力濃度によって決定されることは当然である。例え出力濃度が１Ｗ／ｃｍ２であっても、照射時間が数秒という単位であれば、生体に及ぼす影響は無視できる範囲内に留まると考えられる。それは例えば強い紫外線の下でも短時間であれば生体に及ぼす影響は無視出来よう。しかしながら今後の研究の余地は残されている。
Ｂｒｕｃｅ  Ｈｏｃｋｉｎｇは、マイクロ波を終始取り扱う者の中に頭痛、疲労感、自律神経失調症などの症状（ｍｉｃｒｏｗａｖｅ  ｓｉｃｋｎｅｓｓ）を呈するものがいると報告している（Ｏｃｃｕｐａｔｉｏｎａｌ  Ｍｅｄｉｃｉｎｅ（Ｌｏｎｄ）２００１  Ｆｅｂ；５１（１）：６６−６９）が、これらはアルミニウム壁と一部風通しのよい箇所を作っておけば、容易に解決できる。
本器の安全性に関する動物実験や、生きた血液による白血球の経時的変化を見ても優れた結果を得た。一方、ガンに対する効果は、ガンを取り巻くフリーラジカルを利用した新しい想定の元に、有効かつ非侵襲的に短時間にガンを破壊できることが分かった。
産業上の利用可能性
本発明の装置を用いた臨床実験例では、人体や動物に発生したガン細胞の治療効果は顕著に表れ、副作用もまったく見られない。
臨床で治療患部である体内部、深部の病原体及び特にガン細胞に対する病巣を熱エネルギーで壊滅的に除去することができ、因みに４２℃以上が最良である。
患者同意の下に、特に末期重症ガン


【手続補正１９】
【補正対象書類名】明細書
【補正対象項目名】００２２
【補正方法】変更
【補正の内容】
【００２２】
の患者を対象とし、その臨床試験例として、一週間で効果が表われ、回復の兆しを見せる患者の例や、患者の痛みを抑えることにも成功した例が多い。勿論モルヒネは投与せず長時間の痛みを忘れることが可能な例もあった。
更に、動物実験例で何ら副作用なる異常は見られなかった。


【手続補正２０】
【補正対象書類名】図面
【補正対象項目名】第７図
【補正方法】変更
【補正の内容】
【図７】
2002072198.tif 000034
【手続補正２１】
【補正対象書類名】図面
【補正対象項目名】第１９図
【補正方法】変更
【補正の内容】
【図１９】
2002072198.tif 000035
【国際調査報告】
2002072198.tif 000036
2002072198.tif 000037
2002072198.tif 000038
2002072198.tif 000039
2002072198.tif 000040